(57)【要約】【課題】記事を記事レイアウト領域内にバランス良く配置すること。【解決手段】本発明は、紙面に配置される各素材を各レイアウト領域にそれぞれ配置することによって紙面を制作する紙面制作システムにおいて、記事レイアウト領域が領域不足又は領域余剰である場合には、記事レイアウト領域に隣接した画像レイアウト領域に配置された画像を検出する画像検出部１４と、検出された画像の画像レイアウト領域の寸法を減少又は増加させる調整量を算出する調整量算出部１５と、調整量に基づいて画像レイアウト領域の寸法を調整する寸法調整部１６と、調整量に基づいて画像のトリミング値を決定するトリミング値調整部１７と、トリミング値に基づいて画像をトリミングし画像レイアウト領域に再配置する画像再配置部１８と、調整量に基づいて記事レイアウト領域の寸法を調整した後に、記事を再配置する記事再配置部１９とを備えている。【選択図】      図２
2005063364.tif 000002
【特許請求の範囲】
【請求項１】
素材毎にレイアウトされたレイアウト領域に前記素材を配置することによって紙面を制作する紙面制作システムにおいて、
前記素材のうち記事を配置するためにレイアウトされた記事レイアウト領域が、領域不足または領域余剰の場合には、前記記事レイアウト領域に隣接し、前記素材のうち画像を配置する画像レイアウト領域の画像を検出する画像検出手段を備えた紙面制作システム。
【請求項２】
請求項１に記載の紙面制作システムにおいて、
前記画像検出手段によって画像が検出された場合には、前記画像レイアウト領域の前記紙面上における行方向寸法を減少または増加させる行方向調整量を算出する調整量算出手段を更に備えた紙面制作システム。
【請求項３】
請求項１に記載の紙面制作システムにおいて、
前記画像検出手段によって画像が検出された場合には、前記画像レイアウト領域の前記紙面上における行方向寸法および段方向寸法を減少または増加させる行方向調整量および段方向調整量をそれぞれ算出する調整量算出手段を更に備えた紙面制作システム。
【請求項４】
請求項２または請求項３に記載の紙面制作システムにおいて、
前記調整量算出手段による算出後、この算出結果に基づく画像レイアウト領域に前記画像を再配置する画像再配置手段を更に備えた紙面制作システム。
【請求項５】
請求項２または請求項３に記載の紙面制作システムにおいて、
前記画像検出手段によって検出された画像が配置された画像レイアウト領域の前記紙面上における寸法を、前記調整量算出手段によって算出された調整量に基づいて減少または増加させることによって調整する寸法調整手段と、
前記画像検出手段によって検出された画像のトリミング値を、前記調整量算出手段によって算出された調整量に基づいて決定するトリミング値決定手段と、
前記トリミング値決定手段によって決定されたトリミング値でトリミングされた画像を、前記寸法調整手段によって調整された画像レイアウト領域に再配置する画像再配置手段と
を更に備えた紙面制作システム。
【請求項６】
請求項４または請求項５に記載の紙面制作システムにおいて、
前記画像再配置手段によって前記画像レイアウト領域に前記画像が再配置された後に、この画像レイアウト領域に対してなされた寸法の減少または増加に応じて、前記記事レイアウト領域の寸法を増加または減少させ、この記事レイアウト領域に前記記事を再配置する記事再配置手段を更に備えた紙面制作システム。
【発明の詳細な説明】
【技術分野】
【０００１】
本発明は、例えば新聞社や印刷会社において新聞や雑誌の紙面を制作する紙面制作システムに関する。
【背景技術】
【０００２】
新聞や雑誌等の印刷物は、記事や画像といった素材を紙面上に配置する所謂レイアウト処理によって制作される。このようなレイアウト処理では、字詰、行間、段間などの体裁枠にしたがった「ますめ」に沿って文字が配置される。この場合、総文字数（写真、図、表などの領域を含む）は一定であるが、記事の分量は可変となるので、領域不足のために記事の一部を配置することができないか、または領域余剰のために記事の全てを配置してなお余剰領域を有するといった所謂レイアウト領域の過不足が発生する。
【０００３】
編集者は、定められた紙面内に記事や画像を配置することが要求されるので、（１）領域不足となる場合、（２）領域余剰となる場合に、以下に示すような対策を講じている。
【０００４】
（１）領域不足となる場合。  
（１ａ）記事の文字を削ることによって紙面内に納める。  
（１ｂ）画像（写真やイラストなど）の寸法を小さくして紙面内に納める。
【０００５】
（２）領域余剰となる場合。  
（２ａ）記事の文書を増やして紙面内に納める。これには、例えば、通常は掲載しない記事の後続文書を掲載する方法がある。  
（２ｂ）画像（写真やイラストなど）の寸法を大きくして紙面内に納める。
【０００６】
なお、近年、見やすい紙面を作成するために基本文字サイズを大きくしている場合が多いので、（２）のように領域が余るというケースは希であり、（１）の領域不足となる傾向が多い。
【特許文献１】特開２００１−２１６２９２号公報
【特許文献２】特開２００１−２７４９８１号公報
【特許文献３】特開平５−２８６１０７号公報
【発明の開示】
【発明が解決しようとする課題】
【０００７】
上記のような対策によって写真やイラストなどの画像の寸法を調整する場合、記事の過不足行数に基づいて調整する必要がある。しかしながら、画像寸法の調整には、煩雑な画像の編集作業が必要となるという問題がある。このような煩雑な編集作業を伴わない方法としては、行間調整と呼ばれるものがある。
【０００８】
行間調整とは、記事の一部または全体の行間値を調整してレイアウト領域内に納める方法であり、文書全体の行間を調整したり、最下段のみの行間を調整するなどしてなされる。
【０００９】
しかしながら、このような行間調整では、記事の一部の行間が不自然に空いてしまったり、逆に狭くなったりする。このため、行間調整を多用してしまうと、紙面全体の行間がバラバラになり、バランスが悪くなり、見栄えが悪くなるという問題がある。
【００１０】
一方、特許文献１および特許文献２には、記事を含む領域を画像データ化し、割り付けられたレイアウト領域内にバランス良く収まるようにこの画像データのサイズを拡大または縮小する技術が開示されている。
【００１１】
つまり、各記事に対してレイアウト領域を割り付けておき、このレイアウト領域に実際に記事を配置した場合、レイアウト領域内に記事が過不足なく配置されることが理想であるが、レイアウト領域のサイズが小さすぎて記事を全て配置しきれない場合には、この記事の部分を画像データ化する。そして、この画像データを縮小することによって、レイアウト領域内にバランス良く配置するようにしている。
【００１２】
一方、レイアウト領域のサイズが大きすぎ、記事を配置した場合に空白部分が生じた場合にもまたこの記事の部分を画像データ化する。そして、この画像データを拡大することによって同様にレイアウト領域にバランス良く配置するようにしている。このような画像データの拡大／縮小は、任意の拡大率／縮小率で行うことができるので、この発明の汎用性は高い。
【００１３】
しかしながら、予め割り付けられたレイアウト領域のサイズと、実際に配置される記事の量との乖離があまりに大きいと、拡大／縮小による調整量が大きくなり、文字の拡大率／縮小率も大きくなる。このため、この拡大／縮小による調整を行った記事における文字サイズは、他の記事の文字サイズとの違いが顕著となり、全体としてバランスが悪くなり、見栄えが悪くなる恐れがある。
【００１４】
一方、特許文献３には、まず仮レイアウトを行って紙面上における記事や画像といった素材の配置場所を決定しておき、次に各配置場所に素材を配置した結果、上述したような過不足が生じた場合の調整方法について記載されている。
【００１５】
すなわち、特許文献３では、各素材毎に予め優先順位を決めておく。そして、上述したような過不足が生じた場合には、優先順位の高い素材から行数調整を順次行ってゆく。そして、この行数調整によって過不足を解消するようにしている。
【００１６】
しかしながら、この調整方法の適用は、仮レイアウトを行う場合に限られてしまう。更に、仮レイアウトを行った後に、各素材の優先順位を決定し、入力する必要があり、手間がかかる。更にまた、この調整方法では、ある程度過不足が解消されるものの、必ずしも常に満足の得られる調整結果が得られるという保証はない。
【００１７】
以上のように、記事が配置された記事レイアウト領域に過不足が生じた場合、記事別になされている行間調整等による文字サイズのばらつきに起因するバランスの悪さや、見栄えの悪さを改善する紙面制作システムの開発が望まれている。しかも、仮レイアウトを行わねばならないような制約や、記事の優先順位のような特別な入力も不要であり、容易に操作できるものであることが好ましいことは言うまでもない。
【００１８】
本発明はこのような事情に鑑みてなされたものであり、記事が配置される記事レイアウト領域が記事の量に対して過不足した場合、この記事レイアウト領域に隣接し写真やイラストなどの画像を配置する画像レイアウト領域の寸法を増加または減少させ、それに応じてこの記事レイアウト領域の寸法を調整することによって、記事を記事レイアウト領域内にバランス良く配置することが可能な紙面制作システムを提供することを目的とする。
【課題を解決するための手段】
【００１９】
上記の目的を達成するために、本発明では、以下のような手段を講じる。
【００２０】
すなわち、請求項１の発明は、素材毎にレイアウトされたレイアウト領域に素材を配置することによって紙面を制作する紙面制作システムにおいて、素材のうち記事を配置するためにレイアウトされた記事レイアウト領域が、領域不足または領域余剰の場合には、記事レイアウト領域に隣接し、素材のうち画像を配置する画像レイアウト領域の画像を検出する画像検出手段を備えている。
【００２１】
従って、請求項１の発明の紙面制作システムにおいては、以上のような手段を講じることにより、記事を配置するに際して過不足の生じた記事レイアウト領域があった場合には、それに隣接した画像レイアウト領域に配置された画像を検出することができる。
【００２２】
このようにして検出した画像およびこの画像が配置された画像レイアウト領域は、請求項２以降に示すように、記事レイアウト領域を拡大または縮小し、記事をバランス良く配置することができるように、その寸法が調整される。
【００２３】
請求項２の発明は、請求項１の発明の紙面制作システムにおいて、画像検出手段によって画像が検出された場合には、画像レイアウト領域の紙面上における行方向寸法を減少または増加させる行方向調整量を算出する調整量算出手段を更に備えている。
【００２４】
従って、請求項２の発明の紙面制作システムにおいては、以上のような手段を講じることにより、画像レイアウト領域の行方向寸法を調整する調整量を算出することができる。そして、この調整量にしたがって画像レイアウト領域の行方向寸法を調整することによって、記事をバランス良く配置することができるように記事レイアウト領域の行方向寸法を増加または減少するための領域を確保することが可能となる。
【００２５】
請求項３の発明は、請求項１の発明の紙面制作システムにおいて、画像検出手段によって画像が検出された場合には、画像レイアウト領域の紙面上における行方向寸法および段方向寸法を減少または増加させる行方向調整量および段方向調整量をそれぞれ算出する調整量算出手段を更に備えている。
【００２６】
従って、請求項３の発明の紙面制作システムにおいては、以上のような手段を講じることにより、画像レイアウト領域の行方向寸法および段方向寸法を調整する調整量を算出することができる。そして、この調整量にしたがって画像レイアウト領域の行方向寸法およい段方向寸法を調整することによって、記事をバランス良く配置することができるように記事レイアウト領域の寸法を増加または減少するための領域を確保することが可能となる。
【００２７】
請求項４の発明は、請求項２または請求項３の発明の紙面制作システムにおいて、調整量算出手段による算出後、この算出結果に基づく画像レイアウト領域に画像を再配置する画像再配置手段を更に備えている。
【００２８】
従って、請求項４の発明の紙面制作システムにおいては、以上のような手段を講じることにより、画像レイアウト領域および画像の寸法を調整量に基づいて調整した後に、画像をこの画像レイアウト領域に再配置することができる。
【００２９】
請求項５の発明は、請求項２または請求項３の発明の紙面制作システムにおいて、画像検出手段によって検出された画像が配置された画像レイアウト領域の紙面上における寸法を、調整量算出手段によって算出された調整量に基づいて減少または増加させることによって調整する寸法調整手段と、画像検出手段によって検出された画像のトリミング値を、調整量算出手段によって算出された調整量に基づいて決定するトリミング値決定手段と、トリミング値決定手段によって決定されたトリミング値でトリミングされた画像を、寸法調整手段によって調整された画像レイアウト領域に再配置する画像再配置手段とを更に備えている。
【００３０】
従って、請求項５の発明の紙面制作システムにおいては、以上のような手段を講じることにより、調整量に基づいて決定したトリミング値で画像をトリミングし、このトリミングした画像を画像レイアウト領域に配置することができる。これによって、画像レイアウト領域の寸法が調整されても、画像をバランス良く配置することができる。
【００３１】
請求項６の発明は、請求項４または請求項５の発明の紙面制作システムにおいて、画像再配置手段によって画像レイアウト領域に画像が再配置された後に、この画像レイアウト領域に対してなされた寸法の減少または増加に応じて、記事レイアウト領域の寸法を増加または減少させ、しかる後にこの記事レイアウト領域に記事を再配置する記事再配置手段を更に備えている。
【００３２】
従って、請求項６の発明の紙面制作システムにおいては、以上のような手段を講じることにより、画像レイアウト領域の寸法変更に応じて記事レイアウト領域の寸法を変更し、この寸法を変更した記事レイアウト領域に記事を再配置することができる。その結果、記事レイアウト領域にバランス良く記事を配置することが可能となる。
【発明の効果】
【００３３】
本発明によれば、記事が配置される記事レイアウト領域が、記事の量に対して過不足した場合、この記事レイアウト領域に隣接し写真やイラストなどの画像を配置する画像レイアウト領域の寸法を増加または減少させ、それに応じてこの記事レイアウト領域の寸法を調整することによって、記事を記事レイアウト領域内にバランス良く配置することが可能な紙面制作システムを実現することができる。
【発明を実施するための最良の形態】
【００３４】
以下に、本発明を実施するための最良の形態について図面を参照しながら説明する。
【００３５】
本発明の実施例を図１から図３４を用いて説明する。
【００３６】
図１は、本発明の実施例に係る紙面制作システムの構成例を示す機能ブロック図である。
【００３７】
すなわち、本実施例に係る紙面制作システム１００は、記事レイアウト領域と画像レイアウト領域とを紙面上にレイアウトし、記事レイアウト領域に記事を、画像レイアウト領域に画像をそれぞれ配置することによって紙面データを制作し、この紙面データを紙面として復元して出力するものであって、記事集配信部１と、画像集配信部２と、組版サーバ３と、出力サーバ４と、プリンタ／プロッタ５と、紙面データ格納部６と、組版端末７とを備えている。なお、本実施例で記事レイアウト領域とは紙面上において記事を配置するレイアウト領域を、画像レイアウト領域とは紙面上において写真やイラスト等の画像を配置するレイアウト領域を指す。
【００３８】
記事集配信部１は、テキストデータからなる記事を蓄積するとともに、紙面に掲載する候補の記事を組版サーバ３に提供する。記事は、後述するように、オペレータや記者によって通信ネットワーク２１を介して記事集配信部１に蓄積される。また、遠隔の通信社Ｗから提供された記事も通信ネットワーク２１を介して記事集配信部１に蓄積される。自社および通信社のテキストデータからなる記事が、記事集配信部１に蓄積される。
【００３９】
画像集配信部２は、写真やイラスト等のデータからなる画像を蓄積するとともに、紙面に掲載する候補の画像を組版サーバ３に提供する。画像もまた、オペレータや記者によって通信ネットワーク２１を介して画像集配信部２に蓄積され必要な画像加工がされる。遠隔の通信社Ｗから提供された画像も通信ネットワーク２１を介して、画像集配信部２に蓄積される。自社および通信社の画像が、画像集配信部２に蓄積される。
【００４０】
組版サーバ３は、本実施例に係る紙面制作システムの全体制御を司る部位であって、記事集配信部１から送られた記事と、画像集配信部２から送られた画像とを紙面単位に管理するとともに、組版端末７からの要求に基づき、各部位間でのデータの受け渡しを行う。具体的には、組版端末７から要求された記事および画像を紙面データ６０から取得して組版端末７へ出力する。また、組版端末７によって作成された紙面データ６０（後で詳述する）を、組版端末７からの要求に応じて出力サーバ４や紙面データ格納部６に出力する。また、組版端末７からの要求に応じて紙面データ格納部６に格納されている紙面データ６０を取得し、出力サーバ４や組版端末７に出力する。
【００４１】
紙面データ格納部６は、紙面データ６０を格納する。格納した紙面データ６０は、組版サーバ３を介して組版端末７から要求があった場合には組版サーバ３によって取得され、組版端末７へと出力されるようにしている。
【００４２】
組版端末７は、紙面データ６０に蓄積された記事を記事レイアウト領域に、紙面データ６０に蓄積された画像を画像レイアウト領域にそれぞれ配置することによって紙面の編集を行い、編集結果として紙面データ６０を作成する。
【００４３】
図２は、組版端末７の構成例を示す機能ブロック図である。組版端末７は、中央処理部１０と、キーボードやマウス等の入力部１１と、ディスプレイ１２と、配置処理部１３と、画像検出部１４と、調整量算出部１５と、寸法調整部１６と、トリミング値調整部１７と、画像再配置部１８と、記事再配置部１９と、通信部２０とを備えている。図１では、組版端末７は代表的に１台のみ示しているが、各オペレータに対して１台ずつ備えられており、１台の組版端末７に対して複数存在する場合が通常である。
【００４４】
中央処理部１０は、入力部１１、ディスプレイ１２、配置処理部１３、画像検出部１４、調整量算出部１５、寸法調整部１６、トリミング値調整部１７、画像再配置部１８、記事再配置部１９、および通信部２０の制御およびデータの受け渡しを担う部位であって、配置処理部１３、画像検出部１４、調整量算出部１５、寸法調整部１６、トリミング値調整部１７、画像再配置部１８、および記事再配置部１９によって処理された処理データを取得し、ディスプレイ１２から表示させる。オペレータは、ディスプレイ１２から表示された処理データの内容を見ながら入力部１１を操作し、入力データを作成する。
【００４５】
配置処理部１３は、オペレータによって入力部１１で作成された入力データに基づいて指定された記事や画像に対して紙面上に記事レイアウト領域や画像レイアウト領域を作成して記事や画像をそのレイアウト領域にレイアウトする。そして、この編集結果として紙面データ６０を作成する。
【００４６】
図３乃至図８は、配置処理部１３によって作成される紙面データ６０の一例を示すデータ構成図である。図９は、新聞紙面のレイアウト例を示す模式図である。
【００４７】
図９に示すように、紙面２２上には、入力データに基づいて、記事レイアウト領域２４や画像レイアウト領域２６が様々に設けられ、更に各記事レイアウト領域２４および各画像レイアウト領域２６には、記事および画像が配置される。紙面データ６０とは、このような紙面２２の管理情報や、各記事レイアウト領域２４および各画像レイアウト領域２６の寸法、配置場所、配置する記事や画像といった素材を定義したデータの集合体であって、紙面２２を復元することが可能なものである。紙面データ６０は、具体的には、図３にその一例を示すような管理情報６０ＫＪと、図４乃至図７にその一例を示す（例えば素材が４つの場合）ような素材情報６０ＳＪ（＃１〜＃ｎ）（例えば素材が４つの場合ｎ＝４となる。）と、図８にその一例を示すような実体データ６０ＤＪとからなっている。
【００４８】
管理情報６０ＫＪは、紙面２２の属性に関する定義データであって、紙面２２の掲載年月日６０ＫＮ、紙面２２の面名６０ＭＮ、紙面２２の版名６０ＨＮ、紙面２２の印刷ページ番号６０ＰＧ、紙面２２の組方向６０ＴＳ１、紙面２２の段数６０ＴＳ２、紙面２２の一段の字詰６０ＴＳ３、紙面２２の基準文字のサイズ６０ＴＳ４、基準文字の段方向寸法６０ＴＳ５、基準文字の行方向寸法６０ＴＳ６、紙面２２の行間値６０ＴＳ７、紙面２２の段間値６０ＴＳ８、紙面２２のＸ方向寸法６０ＰＸ、紙面２２のＹ方向寸法６０ＰＹとからなっている。
【００４９】
素材情報６０ＳＪ（＃１〜＃ｎ）は、紙面２２に配置される素材に関する定義データであって、素材毎に設けられている。すなわち、例えば紙面２２に４つの素材が配置される場合には、素材番号ｎは１から４まで存在し、図４乃至図７の例に示すように紙面データ６０には、素材情報６０ＳＪ（＃１）、素材情報６０ＳＪ（＃２）、素材情報６０ＳＪ（＃３）、および素材情報６０ＳＪ（＃４）からなる４つの素材情報６０ＳＪが含まれる。
【００５０】
このような素材情報６０ＳＪは、素材が記事であるか画像であるかによって、そのデータ構成が一部異なっており、記事である場合には、素材種別６０ｎＳＢ（＝記事）と、素材ＩＤ番号６０ｎＩＤと、この記事が所定の記事レイアウト領域に未配置であるか配置済であるかを定義する配置情報６０ｎＦＬと、記事が配置されている場合の記事レイアウト領域の登録数６０ｎＥＮと、記事が配置されている場合の記事レイアウト領域の配置位置Ｘ座標６０ｎＰＸｍおよび配置位置Ｙ座標６０ｎＰＹｍ（ｍは登録された記事レイアウト領域に対応する。例えば、記事が２つの記事レイアウト領域に配置される場合には、ｍは１から２まで存在する。）と、記事が配置される記事レイアウト領域のＸ方向寸法６０ｎＬＸｍおよびＹ方向寸法６０ｎＬＹｍと、該記事の仮見出６０ｎＫＭと、記事のテキストデータ格納アドレス情報６０ｎＡＤと、配置情報６０ｎＦＬが「配置済」の場合における記事の配置済テキストデータ格納アドレス情報６０ｎＢＤとからなる。
【００５１】
一方、素材が画像である場合の素材情報６０ＳＪは、素材種別６０ｎＳＢ（＝画像）と、素材ＩＤ番号６０ｎＩＤと、この画像が所定の画像レイアウト領域に未配置であるか配置済であるかを定義する配置情報６０ｎＦＬと、画像が配置されている場合の画像レイアウト領域の登録数６０ｎＥＮと、画像が配置されている場合の画像レイアウト領域の配置位置Ｘ座標６０ｎＰＸおよび配置位置Ｙ座標６０ｎＰＹと、画像が配置されている場合の画像レイアウト領域のＸ方向寸法６０ｎＬＸおよびＹ方向寸法６０ｎＬＹと、画像の仮見出６０ｎＫＭと、画像がカラーであるかモノクロであるかを定義する属性情報６０ｎＰＲと、画像の実画像Ｘ方向寸法６０ｎＳＺＸと、画像の実画像Ｙ方向寸法６０ｎＳＺＹと、画像のトリミング基点６０ｎＴＭＢと、画像のＸ方向トリミング寸法６０ｎＴＭＸと、画像のＹ方向トリミング寸法６０ｎＴＭＹと、画像のＸ方向トリミングオリジナル寸法６０ｎＴＭＸＯと、画像のＹ方向トリミングオリジナル寸法６０ｎＴＭＹＯと、画像の表示画像が格納されたアドレス情報６０ｎＡＤと、画像の実画像が格納されたアドレス情報６０ｎＢＤとからなる。なお、トリミングとは、オリジナルの画像に対して、実際に紙面２２上に掲載する部分を枠取りした範囲である。
【００５２】
なお、登録数６０ｎＥＮは、素材種別６０ｎＳＢが記事である場合には複数の記事レイアウト領域にまたがって配置される場合もありうるので２以上となる場合もあるが、素材種別６０ｎＳＢが画像である場合には１となる。
【００５３】
実体データ６０ＤＪは、記事や画像自身のデータである。記事についてはテキストデータ６０ｎＴＸと配置済テキストデータ６０ｎＬＸが存在する。配置済テキストデータ６０ｎＬＸとは、テキストデータ６０ｎＴＸに、このテキストデータ６０ｎＴＸが配置された位置情報と書体情報と文字サイズ情報等が付加されてなるデータである。一方、画像については表示画像データ６０ｎＨＩと実画像データ６０ｎＲＩとが存在する。実画像データ６０ｎＲＩとは、この画像のオリジナルのデータであって、紙面全体のレイアウト状態の確認用の大ゲラや印刷用版を出力する時に使用されるものである。それに対して表示画像データ６０ｎＨＩとは、実画像データ６０ｎＲＩをアイコン表示したような縮小データで組版端末７での画面表示などで使用される。
【００５４】
紙面データ６０に基づく紙面イメージをディスプレイ１２から表示する場合には、データサイズの大きい実画像データ６０ｎＲＩを貼り付けた状態で表示させていると、中央処理部１０の負荷が増大し処理速度が低下する。このようなことを回避するために、紙面が最終確定していない段階において紙面データ６０に基づく紙面イメージをディスプレイ１２から表示させる場合には、実画像データ６０ｎＲＩの代わりにデータサイズが小さい表示画像データ６０ｎＨＩを表示させるようにする。これによって、中央処理部１０の負荷を低減し、処理速度を低下させないようにすることも可能としている。
【００５５】
画像検出部１４は、配置処理部１３によって作成された紙面データ６０に基づいて記事レイアウト領域２４に記事を配置した場合、図１０に示すように記事レイアウト領域２４が領域不足のために記事２８の一部を配置することができないか、または図１１に示すように領域余剰のために記事２８の全てを配置してなお余剰領域３０を有する場合には、記事レイアウト領域２４に隣接した画像レイアウト領域２６に配置された画像３２を検出する。
【００５６】
画像検出部１４は、検出された画像３２が配置された画像レイアウト領域２６が、寸法調整の対象となるか否かを判定する。記事レイアウト領域２４と画像レイアウト領域２６との配置パターンとしては、図１２に示すように１６のケースがある。図中における○印は、記事レイアウト領域２４と画像レイアウト領域２６とが隣接することを示し、図中における×印は、記事レイアウト領域２４と画像レイアウト領域２６とが隣接しないことを示している。
【００５７】
したがって、ケース１は、記事レイアウト領域２４が、ａ）画像レイアウト領域２６の上側との隣接、ｂ）画像レイアウト領域２６の下側との隣接、ｃ）画像レイアウト領域２６の左側との隣接、およびｄ）画像レイアウト領域２６の右側との隣接ともに無いことを示している。このように、どの側も画像レイアウト領域２６と隣接していない記事レイアウト領域２４は、（１）行方向のみの寸法調整、（２）拡大縮小による寸法調整の何れの対象ともならない。
【００５８】
ケース２からケース４までは、何れも記事レイアウト領域２４が、ａ）画像レイアウト領域２６の上側との隣接、ｂ）画像レイアウト領域２６の下側との隣接ともに無いために、（２）拡大縮小による寸法調整の対象とはならないが、ｃ）画像レイアウト領域２６の左側との隣接、およびｄ）画像レイアウト領域２６の右側との隣接のうちの少なくとも何れかがあるために、（１）行方向のみの寸法調整の対象となる。
【００５９】
ケース５、ケース９、およびケース１３は、何れもｃ）画像レイアウト領域２６の左側との隣接、およびｄ）画像レイアウト領域２６の右側との隣接ともにないために、（１）行方向のみの寸法調整の対象とも、（２）拡大縮小による寸法調整の対象ともならない。
【００６０】
ケース６乃至ケース８、ケース１０乃至ケース１２、およびケース１４乃至ケース１６は、ａ）画像レイアウト領域２６の上側との隣接、ｂ）画像レイアウト領域２６の下側との隣接のうちの少なくとも何れかであるので（１）行方向のみの寸法調整の対象となり、またｃ）画像レイアウト領域２６の左側との隣接、およびｄ）画像レイアウト領域２６の右側との隣接のうちの少なくとも何れかであるので（２）拡大縮小による寸法調整の対象ともなる。
【００６１】
そして、このように対象とされた画像レイアウト領域２６を拡大または縮小させることによって、図１０に示すような領域不足にも図１１に示すような領域余剰にもならず、図１３に示すように該記事レイアウト領域２４にバランス良く記事２８を配置することが可能な該画像レイアウト領域２６の寸法調整量を算出する。この調整量としては、図１４中の矢印に示すように行方向の寸法を減少させたり、図１５中の矢印に示すように行方向の寸法を増加させたり、図１６中の矢印に示すように行方向および段方向の寸法を減少させたり、図１７中の矢印に示すように行方向および段方向の寸法を増加させたりする場合がある。なお、図１６および図１７に示すような行方向および段方向の寸法の調整は、画像レイアウト領域２６に配置される画像３２の見栄えを変えないようにするために、画像レイアウト領域２６の縦横比が同じになるように行うのが好ましい。
【００６２】
寸法調整部１６は、調整量算出部１５によって算出された調整量に基づいて、該画像レイアウト領域２６の寸法を増加または減少させる。そして、この寸法調整に応じて、該画像レイアウト領域２６の配置位置Ｘ座標６０ｎＰＸ、配置位置Ｙ座標６０ｎＰＹ、配置領域Ｘ方向寸法６０ｎＬＸ、および配置領域Ｙ方向寸法６０ｎＬＹを更新する。
【００６３】
画像のトリミング情報を調整することによって画像のレイアウト領域の寸法を増減する方法は、画像の行方向のみの寸法調整の場合に多用される。トリミング値調整部１７は、画像検出部１４によって検出された画像３２のトリミング値を、調整量算出部１５によって算出された調整量に基づいて変更する。この調整に応じて、Ｘ方向トリミング寸法６０ｎＴＭＸ、Ｙ方向トリミング寸法６０ｎＴＭＹを更新する。
【００６４】
画像再配置部１８は、更新された紙面データ６０に基づいてトリミングされた画像３２を、寸法調整部１６によって寸法調整された画像レイアウト領域２６に再配置する。
【００６５】
記事再配置部１９は、寸法調整部１６によって該画像レイアウト領域２６に対してなされた寸法調整に応じて、領域不足または領域余剰のあった記事レイアウト領域２４の寸法を増加または減少させる。そして、これに伴って、記事レイアウト領域２４の配置位置Ｘ座標６０ｎＰＸｍ、配置位置Ｙ座標６０ｎＰＹｍ、配置領域Ｘ方向寸法６０ｎＬＸｍ、および配置領域Ｙ方向寸法６０ｎＬＹｍを更新し、しかる後にこの記事レイアウト領域２４に記事２８を再配置する。
【００６６】
例えば、寸法調整部１６によって、図１８（ａ）に示すように、領域不足の記事レイアウト領域２４に対して画像レイアウト領域２６の行方向の寸法を減少させた場合には、図１８（ｂ）に示すように記事レイアウト領域２４の行方向の寸法を増加させる。また、図１９（ａ）に示すように、領域余剰の記事レイアウト領域２４に対して画像レイアウト領域２６の行方向および段方向の寸法を増加させた場合には、図１９（ｂ）に示すように記事レイアウト領域２４の行方向の寸法を減少させる。なお、図示していないが、記事レイアウト領域２４の段方向の寸法も増減させるようにしてもよい。
【００６７】
このように画像レイアウト領域２６および記事レイアウト領域２４の寸法が変更され、更にこの画像レイアウト領域２６に画像が、この記事レイアウト領域２４に記事がそれぞれ再配置されることによって紙面データ６０が確定されるようにしている。そして、紙面データ６０が確定されると、この紙面データ６０は、入力部１１を介してなされるオペレータ操作によって通信部２０を介して紙面データ格納部６へと出力され、紙面データ格納部６に格納されるようにしている。作成途中の紙面データ６０であっても、紙面データ格納部６へ出力することによって紙面データ格納部６へ一旦格納させておき、必要に応じて読み出して編集を継続することもできる。
【００６８】
紙面データ６０に基づいて紙面２２を印刷する場合には、オペレータが入力部１１から、大刷／版下出力の指示入力と、紙面データ６０の指定入力を行うことによって、この指示入力とともに紙面データ６０を組版サーバ３を介して出力サーバ４に出力する。
【００６９】
出力サーバ４は、組版サーバ３を介して組版端末７から出された指示入力に基づいて、組版サーバ３から出力された紙面データ６０を編集し、文字や画像をドットデータに展開する。そして、このように展開したドットデータに基づいて、プリンタ／プロッタ５は、大刷や版下の紙面を印刷する。
【００７０】
次に、以上のように構成した本実施例に係る紙面制作システムの動作についてフローチャートを用いて説明する。
【００７１】
本実施例に係る紙面制作システムによる新聞や雑誌の紙面の制作は、組版端末７の入力部１１からオペレータが必要な入力を行い、その入力に基づいて中央処理部１０が組版端末７内の各部位を動作させることによってなされる。図２０は、組版端末７の全体動作例を示すフローチャートである。
【００７２】
紙面を制作する場合には、まず、オペレータが入力部１１から入力データを入力し、この入力データに基づいて、配置処理部１３によって紙面上に記事レイアウト領域２４や画像レイアウト領域２６がレイアウトされる。更に、同入力データに基づいて、組版サーバ３の紙面データ６０内から記事が取得され、この記事が記事レイアウト領域２４に配置される。画像は、組版サーバ３の紙面データ６０内から取得され、この画像が画像レイアウト領域２６に配置される。そして、この編集結果として紙面データ６０内の配置情報が作成される（Ｓ１）。
【００７３】
ステップＳ１で作成された紙面データ６０に基づいて紙面イメージをディスプレイ１２から表示した結果、図１０に示すように、記事レイアウト領域２４が、領域不足のために記事２８の一部を配置することができないか、または図１１に示すように領域余剰のために記事２８の全てを配置してなお余剰領域３０を有する場合（Ｓ２：Ｙｅｓ）には、ステップＳ３以降の処理が行われる。一方、図１３に示すように該記事レイアウト領域２４にバランス良く記事２８が配置されている場合（Ｓ２：Ｎｏ）には、本実施例に係る紙面制作システムを用いた処理を終了する。
【００７４】
ステップＳ３では、レイアウト調整方法について、オペレータからの選択入力を受け付ける。すなわち、本実施例に係る紙面制作システムを用いてレイアウトを調整する場合（Ｓ３：Ｙｅｓ）には、ステップＳ４以降の処理が行われる。一方、本実施例に係る紙面制作システムを用いずに、オペレータ操作によってレイアウトを調整する場合（Ｓ３：Ｎｏ）には、本実施例に係る紙面制作システムを用いた処理を終了する。
【００７５】
ステップＳ４では、画像検出部１４による画像検出処理と、調整量算出部１５による調整量算出処理と、寸法調整部１６による寸法調整処理と、トリミング値調整部１７によるトリミング値調整処理とが行われる（Ｓ４）。これら各処理における動作については別のフローチャートを用いて後で説明する。
【００７６】
ステップＳ５では、ステップＳ４によって調整された画像レイアウト領域２６および記事レイアウト領域２４に、画像再配置部１８によって画像が、記事再配置部１９によって記事がそれぞれ再配置される（Ｓ５）。
【００７７】
以上の手順により、レイアウトが調整された紙面データ６０が制作される。
【００７８】
次に、ステップＳ４における動作の詳細について、図２１に示すフローチャートを用いて説明する。
【００７９】
レイアウト調整を行う場合には、まず、オペレータは、入力部１１から、画像レイアウト領域２６の調整方法の指定入力を行う（Ｓ４１）。この調整方法には２通りあり、第１の方法は図１４および図１５に示すように行方向の寸法のみを調整する方法であり、第２の方法は図１６および図１７に示すように行方向および段方向の寸法を調整する所謂拡大縮小による方法である。第１の方法が選択された場合（Ｓ４１：（１））には、ステップＳ４２からステップＳ４４の処理が行われ、第２の方法が選択された場合（Ｓ４１：（２））には、ステップＳ４５からステップＳ４７の処理が行われる。
【００８０】
ステップＳ４２の詳細動作を図２２乃至図２５のフローチャートに示す。対象記事レイアウト領域２４に隣接している画像レイアウト領域２６に配置された画像３２が、画像検出部１４によって検出される（Ｓ４２）。
【００８１】
すなわち、まず、対象記事レイアウト領域２４が抽出され（Ｓ４２１）、次に紙面データ６０の素材情報６０ＳＪ（＃１〜＃ｎ）の中から最初の画像が探索される（Ｓ４２２）。素材種別６０ｎＳＢが「画像」である素材情報６０ＳＪが存在する場合（Ｓ４２３：Ｙｅｓ）には、この画像が配置済であるか否かが確認される（Ｓ４２４）。存在しない場合（Ｓ４２４：Ｎｏ）には、ステップＳ４２の処理を終了する。
【００８２】
ステップＳ４２３が「Ｙｅｓ」であって、更に、配置情報６０ｎＦＬが「配置済」である場合（Ｓ４２４：Ｙｅｓ）には、この画像の右側で対象記事レイアウト領域２４が隣接しているか否かが確認される（Ｓ４２５）。この画像の右側で対象記事レイアウト領域２４が隣接している場合（Ｓ４２６：Ｙｅｓ）には、その隣接状態が記録される（Ｓ４２７）。これらの処理が全ての対象記事レイアウト領域２４について行われた場合（Ｓ４２８：Ｙｅｓ）には、ステップＳ４２の処理を終了する。一方、そうでない場合（Ｓ４２８：Ｎｏ）には、次の記事レイアウト領域が処理対象とされ（Ｓ４２９）、ステップＳ４２２の処理に戻る。
【００８３】
ステップＳ４２６において隣接しない場合（Ｓ４２６：Ｎｏ）には、この画像の左側で対象記事レイアウト領域２４が隣接しているか否かが確認される（Ｓ４３０）。この画像の左側で対象記事レイアウト領域２４が隣接している場合（Ｓ４３１：Ｙｅｓ）には、ステップＳ４２７以降の処理が行われる。
【００８４】
ステップＳ４３１において隣接していない場合（Ｓ４３１：Ｎｏ）には、更にこの画像の上側で対象記事レイアウト領域２４が隣接しているか否かが確認される（Ｓ４３２）。そして、この画像の上側で対象記事レイアウト領域２４が隣接している場合（Ｓ４３３：Ｙｅｓ）には、ステップＳ４２７以降の処理が行われる。
【００８５】
ステップＳ４３３において隣接していない場合（Ｓ４３３：Ｎｏ）には、更にこの画像の下側で対象記事レイアウト領域２４が隣接しているか否かが確認される（Ｓ４３４）。そして、この画像の下側で対象記事レイアウト領域２４が隣接している場合（Ｓ４３５：Ｙｅｓ）には、ステップＳ４２７以降の処理が行われる。
【００８６】
ステップＳ４３５において隣接していない場合（Ｓ４３５：Ｎｏ）には、ステップＳ４２８以降の処理が行われる。
【００８７】
画像が配置済ではなく（Ｓ４２４：Ｎｏ）、かつ素材情報の全ての画像について調査がなされた場合（Ｓ４３６：Ｙｅｓ）には、ステップＳ４２８以降の処理が行われる。一方そうでない場合（Ｓ４３６：Ｎｏ）には、次の画像が探索され（Ｓ４３７）、ステップＳ４２４以降の処理が行われる。
【００８８】
なお、ステップＳ４２５、ステップＳ４３０、ステップＳ４３２、およびステップＳ４３４では、対象記事レイアウト領域２４が画像の右側で隣接するか否かを調べる処理が行われているが、この処理の動作例を図２６のフローチャートを用いて説明する。なお、図２６は、対象記事レイアウト領域２４が画像の右側で隣接するか否かを調べる処理であるステップＳ４２５の動作を示すフローチャートであるが、この動作は、ステップＳ４３０、ステップＳ４３２、およびステップＳ４３４に対しても実質的に同じである。
【００８９】
ステップＳ４２５では、まず対象記事レイアウト領域２４の配置位置Ｘ座標６０ｎＰＸｍ、配置位置Ｙ座標６０ｎＰＹｍ、配置領域Ｘ方向寸法６０ｎＬＸｍ、および配置領域Ｙ方向寸法６０ｎＬＹｍに基づいて対角線始点Ｘ座標ＫＳＸ、対角線始点Ｙ座標ＫＳＹ、対角線終点Ｘ座標ＫＥＸ、対角線終点Ｙ座標ＫＥＹが得られる。次に、画像レイアウト領域２６の配置位置Ｘ座標６０ｎＰＸ、配置位置Ｙ座標６０ｎＰＹ、配置領域Ｘ方向寸法６０ｎＬＸ、および配置領域Ｙ方向寸法６０ｎＬＹに基づいて対角線始点Ｘ座標ＧＳＸ、対角線始点Ｙ座標ＧＳＹ、対角線終点Ｘ座標ＧＥＸ、対角線終点Ｙ座標ＧＥＹが得られる。そして、以下に示す（式１）および（式２）がともに成り立つか否かが確認される（Ｓ４２５１）。  
（ＧＳＸ）−（ＫＥＸ）＞０    ・・・（式１）  
（ＧＳＸ）−（ＫＥＸ）＜α    ・・・（式２）  
ここで、（式２）におけるαは、検出の許容値である。
【００９０】
（式１）および（式２）がともに成り立つ場合（Ｓ４２５２：Ｙｅｓ）には、更に以下に示す（式３）乃至（式６）のうちの何れか１つが成り立つか否かが確認される（Ｓ４２５３）。  
（ＧＳＹ）≦（ＫＳＹ）  ａｎｄ  （ＫＥＹ）≦（ＧＥＹ）    ・・・（式３）  
（ＫＳＹ）＜（ＧＳＹ）  ａｎｄ  （ＧＥＹ）＜（ＫＥＹ）    ・・・（式４）  
（ＧＳＹ）≦（（ＫＳＹ）＋（ＫＥＹ））／２                  ・・・（式５）  
（（ＫＳＹ）＋（ＫＥＹ））／２≦（ＧＥＹ）                  ・・・（式６）
（式３）から（式６）のうち何れか１つが成り立つ場合（Ｓ４２５４：Ｙｅｓ）には、対象記事レイアウト領域２４が画像の右側で隣接するものと判定され（Ｓ４２５５）、何れも成り立たない場合（Ｓ４２５４：Ｎｏ）には、対象記事レイアウト領域２４が画像の右側で隣接しないと判定される（Ｓ４２５６）。
【００９１】
画像検出部１４によって、対象記事レイアウト領域２４に隣接する画像が検出され（Ｓ４２）、ステップＳ４２において検出された画像が配置された画像レイアウト領域２６が、図１２に示すような判定条件に基づいて、（１）行方向の寸法調整の対象となるか否かが調整量算出部１５によって判定される（Ｓ４３）。
【００９２】
なお、ステップＳ４５においても、ステップＳ４２と同様にして、対象記事レイアウト領域２４に隣接する画像が検出され（Ｓ４５）、ステップＳ４５において検出された画像が配置された画像レイアウト領域２６が、図１２に示すような判定条件に基づいて、（２）拡大縮小による寸法調整の対象となるか否かが調整量算出部１５によって判定される（Ｓ４６）。
【００９３】
そして、ステップＳ４３において、調整量算出部１５によって（１）行方向の寸法調整の対象となると判定された場合（Ｓ４３：Ｙｅｓ）には、更に調整量算出部１５によって、対象画像レイアウト領域２６について行方向の寸法調整がなされる（Ｓ４４）。一方、ステップＳ４３において（１）行方向の寸法調整の対象となると判定されなかった場合（Ｓ４３：Ｎｏ）には、ステップＳ４の処理を終了する。
【００９４】
ステップＳ４４でなされる画像レイアウト領域２６の行方向の寸法調整について、図２７および図２８に示すフローチャートを用いて説明する。行方向の寸法調整を行う場合には、画像レイアウト領域２６の段数換算値が計算される。この段数換算値は、  
（（画像レイアウト領域のＹ方向寸法６０ｎＬＹ）＋（段間値６０ＴＳ８））／（（基本文字の段方向寸法６０ＴＳ５）×（字詰値６０ＴＳ３）＋（段間値６０ＴＳ８））  
によって計算される。ただし、小数点以下は切り上げて整数とする（Ｓ４４１）。
【００９５】
次に、画像レイアウト領域２６における調整行数が計算される。この調整行数は、  
（記事の過不足行数）／（ステップＳ４４１で計算された段数換算値）  
によって計算される。ただし、小数点以下は切り上げて整数とする（Ｓ４４２）。
【００９６】
次に、画像レイアウト領域２６における行方向調整量ΔＸが計算される。この行方向調整量ΔＸは、  
（ステップＳ４４３で計算された調整行数）×（（基本文字の行方向寸法６０ＴＳ６）＋（行間値６０ＴＳ７））−（行間値６０ＴＳ７）  
によって計算される（Ｓ４４３）。
【００９７】
次に、ステップＳ４４３で計算された行方向調整量ΔＸが、調整許容範囲内であるか否かが寸法調整部１６によって判定される。これは、  
（画像レイアウト領域２６の行方向調整量ΔＸ）／（画像レイアウト領域２６のＸ方向寸法６０ｎＬＸ）＜（許容値）  
である場合には、調整許容範囲内であると判定される（Ｓ４４４：Ｙｅｓ）。この許容値は予め定めておく。一方、そうでない場合（Ｓ４４４：Ｎｏ）には、ステップＳ４４の処理を終了する。
【００９８】
ステップＳ４４４で、寸法調整部１６によって、行方向調整量ΔＸが調整許容範囲内であると判定される（Ｓ４４４：Ｙｅｓ）と、更に寸法調整部１６によって、この画像レイアウト領域２６の配置情報が更新される（Ｓ４４５）。図２９および図３０は、ステップＳ４４５においてなされる配置情報の更新方法をまとめた図である。なお、ここで配置情報とは、画像レイアウト領域２６の配置位置Ｘ座標６０ｎＰＸ、配置位置Ｙ座標６０ｎＰＹ、配置領域Ｘ方向寸法６０ｎＬＸ、および配置領域Ｙ方向寸法６０ｎＬＹである。
【００９９】
図２９は、図１０に示すように記事レイアウト領域２４に領域不足が生じた場合に、それに隣接する画像レイアウト領域２６に配置された画像に対してなされる配置情報の更新方法を示している。この更新方法は、パターン１からパターン３までのパターンに応じて異なっている。すなわち、パターン１は、画像の右側に記事レイアウト領域２４が隣接する場合であり、パターン２は、画像の左側に記事レイアウト領域２４が隣接する場合であり、パターン３は、画像の右側と左側に記事レイアウト領域２４が隣接する場合である。
【０１００】
パターン１の場合、画像の配置位置Ｘ座標６０ｎＰＸは、行方向調整量ΔＸが加算された値となり、配置領域Ｘ方向寸法６０ｎＬＸは、行方向調整量ΔＸが減算された値となる。配置位置Ｙ座標６０ｎＰＹおよび配置領域Ｙ方向寸法６０ｎＬＹには変更がない。
【０１０１】
パターン２の場合、画像の配置領域Ｘ方向寸法６０ｎＬＸは、行方向調整量ΔＸが減算された値となる。配置位置Ｘ座標６０ｎＰＸ、配置位置Ｙ座標６０ｎＰＹ、および配置領域Ｙ方向寸法６０ｎＬＹには変更がない。
【０１０２】
パターン３の場合、画像の配置位置Ｘ座標６０ｎＰＸは、行方向調整量ΔＸの１／２が加算された値となり、配置領域Ｘ方向寸法６０ｎＬＸは、行方向調整量ΔＸが減算された値となる。配置位置Ｙ座標６０ｎＰＹおよび配置領域Ｙ方向寸法６０ｎＬＹには変更がない。
【０１０３】
一方、図３０は、図１１に示すように記事レイアウト領域２４に余剰領域３０がある場合に、それに隣接する画像レイアウト領域２６に配置された画像に対してなされる配置情報の更新方法を示している。この更新方法は、パターン４からパターン６までのパターンに応じて異なっている。すなわち、パターン４は、画像の右側に記事レイアウト領域２４が隣接する場合であり、パターン５は、画像の左側に記事レイアウト領域２４が隣接する場合であり、パターン６は、画像の右側と左側に記事レイアウト領域２４が隣接する場合である。
【０１０４】
パターン４の場合、画像の配置位置Ｘ座標６０ｎＰＸは、行方向調整量ΔＸが減算された値となり、配置領域Ｘ方向寸法６０ｎＬＸは、行方向調整量ΔＸが加算された値となる。配置位置Ｙ座標６０ｎＰＹおよび配置領域Ｙ方向寸法６０ｎＬＹには変更がない。
【０１０５】
パターン５の場合、画像の配置領域Ｘ方向寸法６０ｎＬＸは、行方向調整量ΔＸが加算された値となる。配置位置Ｘ座標６０ｎＰＸ、配置位置Ｙ座標６０ｎＰＹ、および配置領域Ｙ方向寸法６０ｎＬＹには変更がない。
【０１０６】
パターン６の場合、画像の配置位置Ｘ座標６０ｎＰＸは、行方向調整量ΔＸの１／２が減算された値となり、配置領域Ｘ方向寸法６０ｎＬＸは、行方向調整量ΔＸが加算された値となる。配置位置Ｙ座標６０ｎＰＹおよび配置領域Ｙ方向寸法６０ｎＬＹには変更がない。
【０１０７】
このようにして、紙面データ６０における素材情報６０ＳＪのうち、画像に関する配置情報の更新がなされると、次にトリミング値調整部１７によって、更にこの画像のトリミング値が更新される（Ｓ４４６）。これにはまず、  
（Ｘ方向トリミング寸法６０ｎＴＭＸ）×（行方向調整量ΔＸ）／（画像の配置領域Ｘ方向寸法６０ｎＬＸ）  
の計算がなされることによって、行方向トリミング寸法調整量Δｘが得られる。
【０１０８】
そして、図１０に示すように記事レイアウト領域２４に領域不足が生じた場合には、行方向トリミング寸法調整量Δｘを減じた値に、Ｘ方向トリミング寸法６０ｎＴＭＸの値が更新される。一方、図１１に示すように記事レイアウト領域２４に余剰領域３０がある場合には、行方向トリミング寸法調整量Δｘを加えた値にＸ方向トリミング寸法６０ｎＴＭＸの値が更新される。
【０１０９】
このようにして、紙面データ６０における素材情報６０ＳＪのうち画像に関するトリミング寸法の更新がなされることによってステップＳ４４の処理を終了する。
【０１１０】
一方、ステップＳ４６において、調整量算出部１５によって（２）拡大縮小による寸法調整の対象となると判定された場合（Ｓ４６：Ｙｅｓ）には、更に調整量算出部１５によって、画像レイアウト領域２６について行方向および段方向の寸法調整である所謂拡大縮小による調整がなされる（Ｓ４７）。ステップＳ４６において、（２）拡大縮小による寸法調整の対象となると判定されなかった場合（Ｓ４６：Ｎｏ）には、ステップＳ４の処理を終了する。
【０１１１】
ステップＳ４７でなされる画像レイアウト領域２６の拡大縮小による寸法調整について、図３１および図３２に示すフローチャートを用いて説明する。すなわち、拡大縮小による寸法調整を行う場合には、まず記事の過不足行数から過不足分の領域の面積が計算される。この面積は、  
（過不足行数）×（（基本文字の段方向寸法６０ＴＳ５）×（字詰値６０ＴＳ３）＋（段間値６０ＴＳ８））  
によって計算される。（Ｓ４７１）。
【０１１２】
次に、拡大縮小後の画像の配置領域Ｘ方向寸法６０ｎＬＸおよび配置領域Ｙ方向寸法６０ｎＬＹが計算される（Ｓ４７２）。拡大縮小後の画像の配置領域Ｘ方向寸法６０ｎＬＸは、（画像の配置領域Ｘ方向寸法６０ｎＬＸ）にパラメータＴを乗じることによって計算される。また、拡大縮小後の画像の配置領域Ｙ方向寸法６０ｎＬＹは、（画像の配置領域Ｙ方向寸法６０ｎＬＹ）にパラメータＴを乗じることによって計算される。
【０１１３】
ここで、パラメータＴは、図１０に示すように記事レイアウト領域２４に領域不足が生じた場合には、  
（（画像の配置領域Ｘ方向寸法６０ｎＬＸ）×（画像の配置領域Ｙ方向寸法６０ｎＬＹ）−（ステップＳ４７１で計算された不足分面積））／（（画像の配置領域Ｘ方向寸法６０ｎＬＸ）×（画像の配置領域Ｙ方向寸法６０ｎＬＹ））  
の平方根である。
【０１１４】
一方、図１１に示すように記事レイアウト領域２４に余剰領域３０がある場合におけるパラメータＴは、  
（（画像の配置領域Ｘ方向寸法６０ｎＬＸ）×（画像の配置領域Ｙ方向寸法６０ｎＬＹ）＋（ステップＳ４７１で計算された余剰分面積））／（（画像の配置領域Ｘ方向寸法６０ｎＬＸ）×（画像の配置領域Ｙ方向寸法６０ｎＬＹ））  
の平方根である。
【０１１５】
次に、画像における行方向調整量ΔＸおよび段方向調整量ΔＹが計算される（Ｓ４７３）。この行方向調整量ΔＸは、（ステップＳ４７２で計算される前の配置領域Ｘ方向寸法ＬＸ０）から（ステップＳ４７２で計算された配置領域Ｘ方向寸法ＬＸ１）を減算した結果の絶対値として算出される。また段方向調整量ΔＹは、（ステップＳ４７２で計算される前の配置領域Ｙ方向寸法ＬＹ０）から（ステップＳ４７２で計算された配置領域Ｙ方向寸法ＬＸ１）を減算した結果の絶対値として算出される。
【０１１６】
更に、行方向調整量ΔＸおよび段方向調整量ΔＹを用いて、紙面データ６０の素材情報６０ＳＪのうち画像に関する配置情報が更新される（Ｓ４７４）。図３３および図３４は、ステップＳ４７４においてなされる配置情報の更新方法をまとめた図である。
【０１１７】
図３３は、図１０に示すように記事レイアウト領域２４に領域不足が生じた場合に、それに隣接する画像レイアウト領域２６に配置された画像に対してなされる配置情報の更新方法を示している。この更新方法は、パターン７からパターン１５までのパターンに応じて異なっている。パターン７は、画像の下側と右側に記事レイアウト領域２４が隣接する場合であり、パターン８は、画像の下側と左側に記事レイアウト領域２４が隣接する場合であり、パターン９は、画像の下側と右側と左側に記事レイアウト領域２４が隣接する場合である。
【０１１８】
また、パターン１０は、画像の上側と右側に記事レイアウト領域２４が隣接する場合であり、パターン１１は、画像の上側と左側に記事レイアウト領域２４が隣接する場合であり、パターン１２は、画像の上側と右側と左側に記事レイアウト領域２４が隣接する場合である。
【０１１９】
パターン１３は、画像の上側と下側と右側に記事レイアウト領域２４が隣接する場合であり、パターン１４は、画像の上側と下側と左側に記事レイアウト領域２４が隣接する場合であり、パターン１５は、画像の上側と下側と右側と左側に記事レイアウト領域２４が隣接する場合である。
【０１２０】
パターン７の場合、画像の配置位置Ｘ座標６０ｎＰＸは、行方向調整量ΔＸが減算された値となり、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。配置位置Ｙ座標６０ｎＰＹは変更がない。
【０１２１】
パターン８の場合、画像の配置位置Ｘ座標６０ｎＰＸおよび配置位置Ｙ座標６０ｎＰＹは変更がないが、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２２】
パターン９の場合、画像の配置位置Ｘ座標６０ｎＰＸは、行方向調整量ΔＸの１／２が減算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。配置位置Ｙ座標６０ｎＰＹには変更がない。
【０１２３】
パターン１０の場合、画像の配置位置Ｘ座標６０ｎＰＸおよび配置位置Ｙ座標６０ｎＰＹは、行方向調整量ΔＸおよび段方向調整量ΔＹがそれぞれ減算された値となり、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２４】
パターン１１の場合、画像の配置位置Ｘ座標６０ｎＰＸは変更ないが、配置位置Ｙ座標６０ｎＰＹは、段方向調整量ΔＹが減算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２５】
パターン１２の場合、画像の配置位置Ｘ座標６０ｎＰＸは、行方向調整量ΔＸの１／２が減算された値に、配置位置Ｙ座標６０ｎＰＹは、段方向調整量ΔＹが減算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２６】
パターン１３の場合、画像の配置位置Ｘ座標６０ｎＰＸは行方向調整量ΔＸが減算され、配置位置Ｙ座標６０ｎＰＹは段方向調整量ΔＹの１／２が減算される。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２７】
パターン１４の場合、画像の配置位置Ｘ座標６０ｎＰＸは変更ないが、配置位置Ｙ座標６０ｎＰＹは、段方向調整量ΔＹの１／２が減算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２８】
パターン１５の場合、画像の配置位置Ｘ座標６０ｎＰＸは、行方向調整量ΔＸの１／２が減算された値に、配置位置Ｙ座標６０ｎＰＹは、段方向調整量ΔＹの１／２が減算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ加算された値となる。
【０１２９】
一方、図３４は、図１１に示すように記事レイアウト領域２４に余剰領域３０がある場合に、それに隣接する画像レイアウト領域２６に配置された画像に対してなされる配置情報の更新方法を示している。この更新方法は、パターン１６からパターン２４までのパターンに応じて異なっている。パターン１６は、画像の下側と右側に記事レイアウト領域２４が隣接する場合であり、パターン１７は、画像の下側と左側に記事レイアウト領域２４が隣接する場合であり、パターン１８は、画像の下側と右側と左側に記事レイアウト領域２４が隣接する場合である。
【０１３０】
パターン１９は、画像の上側と右側に記事レイアウト領域２４が隣接する場合であり、パターン２０は、画像の上側と左側に記事レイアウト領域２４が隣接する場合であり、パターン２１は、画像の上側と右側と左側に記事レイアウト領域２４が隣接する場合である。
【０１３１】
パターン２２は、画像の上側と下側と右側に記事レイアウト領域２４が隣接する場合であり、パターン２３は、画像の上側と下側と左側に記事レイアウト領域２４が隣接する場合であり、パターン２４は、画像の上側と下側と右側と左側に記事レイアウト領域２４が隣接する場合である。
【０１３２】
パターン１６の場合、画像の配置位置Ｘ座標６０ｎＰＸは、行方向調整量ΔＸが加算された値となり、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。配置位置Ｙ座標６０ｎＰＹは変更がない。
【０１３３】
パターン１７の場合、画像の配置位置Ｘ座標６０ｎＰＸおよび配置位置Ｙ座標６０ｎＰＹは変更がないが、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１３４】
パターン１８の場合、画像の配置位置Ｘ座標６０ｎＰＸは、行方向調整量ΔＸの１／２が加算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。配置位置Ｙ座標６０ｎＰＹには変更がない。
【０１３５】
パターン１９の場合、画像の配置位置Ｘ座標６０ｎＰＸおよび配置位置Ｙ座標６０ｎＰＹは、行方向調整量ΔＸおよび段方向調整量ΔＹがそれぞれ加算された値となり、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１３６】
パターン２０の場合、画像の配置位置Ｘ座標６０ｎＰＸは変更ないが、配置位置Ｙ座標６０ｎＰＹは、段方向調整量ΔＹが加算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１３７】
パターン２１の場合、画像の配置位置Ｘ座標６０ｎＰＸは、行方向調整量ΔＸの１／２が加算された値に、配置位置Ｙ座標６０ｎＰＹは、段方向調整量ΔＹが加算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１３８】
パターン２２の場合、画像の配置位置Ｘ座標６０ｎＰＸは行方向調整量ΔＸが加算され、配置位置Ｙ座標６０ｎＰＹは段方向調整量ΔＹの１／２が加算される。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１３９】
パターン２３の場合、画像の配置位置Ｘ座標６０ｎＰＸは変更ないが、配置位置Ｙ座標６０ｎＰＹは、段方向調整量ΔＹの１／２が加算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１４０】
パターン２４の場合、画像の配置位置Ｘ座標６０ｎＰＸは、行方向調整量ΔＸの１／２が加算された値に、配置位置Ｙ座標６０ｎＰＹは、段方向調整量ΔＹの１／２が加算された値となる。また、配置領域Ｘ方向寸法６０ｎＬＸおよび配置領域Ｙ方向寸法６０ｎＬＹは、行方向調整量ΔＸおよび段方向調整量ΔＹがそれぞれ減算された値となる。
【０１４１】
このように紙面データ６０における素材情報６０ＳＪのうち画像に関する配置情報の更新がなされることによってステップＳ４７の処理を終了する。
【０１４２】
以上のようにして作成された紙面データ６０は、入力部１１を介してなされるオペレータ操作によって通信部２０を介して紙面データ格納部６へと出力され、紙面データ格納部６に格納される。作成途中の紙面データ６０であっても、紙面データ格納部６へ一旦格納しておき、必要に応じて組版端末７に読み出して編集を継続することもできる。
【０１４３】
組版端末７にて作成中の紙面データ６０や、紙面データ格納部６から組版端末７へと読み出された紙面データ６０に基づいて、ディスプレイ１２から紙面イメージが表示される。データサイズの大きい実画像データ６０ｎＲＩを貼り付けた状態で表示させていると、中央処理部１０の負荷が増大し処理速度が低下するために、実画像データ６０ｎＲＩの代わりにデータサイズが小さい表示画像データ６０ｎＨＩを表示させることもできる。これによって、中央処理部１０の負荷が低減され処理速度の低下が回避される。
【０１４４】
紙面データ６０に基づいて紙面２２を印刷する場合には、オペレータが入力部１１から、大刷／版下出力の指示入力と、紙面データ６０の指定入力を行うことによってなされる。すなわち、オペレータが入力部１１から、大刷／版下出力の指示入力と、紙面データ６０を指定する指定入力を行うと、この指示入力と、指定入力で指定された紙面データ６０とが出力サーバ４へと出力される。
【０１４５】
出力サーバ４では、指示入力にしたがって紙面データ６０が編集され、文字や画像がドットデータに展開され、このドットデータに基づいて、プリンタ／プロッタ５から大刷や版下の紙面が印刷される。
【０１４６】
上述したように、本実施例に係る紙面制作システムにおいては、上記のような作用により、記事が配置される記事レイアウト領域２４が、記事の量に対して過不足した場合、この記事レイアウト領域２４に隣接し写真やイラストなどの画像を配置する画像レイアウト領域２６の寸法を増加または減少させ、それに応じてこの記事レイアウト領域２４の寸法を調整することによって、記事を記事レイアウト領域２４内にバランス良く配置することが可能となる。
【０１４７】
更に、本実施例に係る紙面制作システムは、仮レイアウトのように紙面におけるレイアウトを確定していない段階、すなわちレイアウト途中の段階であっても適用でき、記事の優先順位の入力のような、記事レイアウト領域２４の過不足を調整するための特別な入力も不要であるので、汎用性および操作性に優れている。
【０１４８】
なお、本実施例では、新聞紙面が縦書きで編集されることが主流であることを考慮して縦組の場合を例に説明したが、本発明の紙面制作システムは、縦組の紙面のみならず、横組の紙面の制作に対しても同様に適用可能であり、上記同様の作用効果を奏することができる。
【０１４９】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１５０】
【図１】本発明の実施例に係る紙面制作システムの構成例を示す機能ブロック図。
【図２】組版端末の構成例を示す機能ブロック図。
【図３】紙面データの一例を示すデータ構成図（管理情報）。
【図４】紙面データの一例を示すデータ構成図（素材情報：記事）。
【図５】紙面データの一例を示すデータ構成図（素材情報：画像）。
【図６】紙面データの一例を示すデータ構成図（素材情報：記事）。
【図７】紙面データの一例を示すデータ構成図（素材情報：画像）。
【図８】紙面データの一例を示すデータ構成図（実体データ）。
【図９】新聞紙面のレイアウト例を示す模式図。
【図１０】記事レイアウト領域が領域不足である新聞紙面を示す模式図。
【図１１】記事レイアウト領域が領域余剰である新聞紙面を示す模式図。
【図１２】記事レイアウト領域と画像との配置パターンを一覧表示した図。
【図１３】記事レイアウト領域が適性サイズである新聞紙面を示す模式図。
【図１４】画像レイアウト領域の行方向寸法の減少方法を示す概念図。
【図１５】画像レイアウト領域の行方向寸法の増加方法を示す概念図。
【図１６】画像レイアウト領域の行方向寸法および段方向寸法の減少方法を示す概念図。
【図１７】画像レイアウト領域の行方向寸法および段方向寸法の増加方法を示す概念図。
【図１８】画像レイアウト領域の行方向寸法を減少させ、記事レイアウト領域の行方向寸法を増加させる方法を示す概念図。
【図１９】画像レイアウト領域の行方向寸法および段方向寸法を増加させ、記事レイアウト領域の行方向寸法を減少させる方法を示す概念図。
【図２０】組版端末の全体動作例を示すフローチャート。
【図２１】レイアウト調整時における処理の流れを示すフローチャート。
【図２２】記事レイアウト領域に隣接している画像の検出時における処理の流れを示すフローチャート（その１）。
【図２３】記事レイアウト領域に隣接している画像の検出時における処理の流れを示すフローチャート（その２）。
【図２４】記事レイアウト領域に隣接している画像の検出時における処理の流れを示すフローチャート（その３）。
【図２５】記事レイアウト領域に隣接している画像の検出時における処理の流れを示すフローチャート（その４）。
【図２６】記事レイアウト領域が画像の右側で隣接するか否かを調べる処理の流れを示すフローチャート。
【図２７】画像レイアウト領域の行方向寸法調整時における処理の流れを示すフローチャート（その１）。
【図２８】画像レイアウト領域の行方向寸法調整時における処理の流れを示すフローチャート（その２）。
【図２９】画像レイアウト領域の行方向配置情報の調整方法をまとめた図（記事レイアウト領域が領域不足の場合）。
【図３０】画像レイアウト領域の行方向配置情報の調整方法をまとめた図（記事レイアウト領域が領域余剰の場合）。
【図３１】画像レイアウト領域の行方向／段方向寸法調整時における処理の流れを示すフローチャート（その１）。
【図３２】画像レイアウト領域の行方向／段方向寸法調整時における処理の流れを示すフローチャート（その２）。
【図３３】画像レイアウト領域の行方向／段方向配置情報の調整方法をまとめた図（記事レイアウト領域が領域不足の場合）。
【図３４】画像レイアウト領域の行方向／段方向配置情報の調整方法をまとめた図（記事レイアウト領域が領域余剰の場合）。
【符号の説明】
【０１５１】
Ｗ…通信社、１…記事集配信部、２…画像集配信部、３…組版サーバ、４…出力サーバ、５…プリンタ／プロッタ、６…紙面データ格納部、７…組版端末、１０…中央処理部、１１…入力部、１２…ディスプレイ、１３…配置処理部、１４…画像検出部、１５…調整量算出部、１６…寸法調整部、１７…トリミング値調整部、１８…画像再配置部、１９…記事再配置部、２０…通信部、２１…通信ネットワーク、２２…紙面、２４…記事レイアウト領域、２６…画像レイアウト領域、２８…記事、３０…余剰領域、３２…画像、６０…紙面データ、１００…紙面制作システム
【図１】
2005063364.tif 000003
【図２】
2005063364.tif 000004
【図３】
2005063364.tif 000005
【図４】
2005063364.tif 000006
【図５】
2005063364.tif 000007
【図６】
2005063364.tif 000008
【図７】
2005063364.tif 000009
【図８】
2005063364.tif 000010
【図９】
2005063364.tif 000011
【図１０】
2005063364.tif 000012
【図１１】
2005063364.tif 000013
【図１２】
2005063364.tif 000014
【図１３】
2005063364.tif 000015
【図１４】
2005063364.tif 000016
【図１５】
2005063364.tif 000017
【図１６】
2005063364.tif 000018
【図１７】
2005063364.tif 000019
【図１８】
2005063364.tif 000020
【図１９】
2005063364.tif 000021
【図２０】
2005063364.tif 000022
【図２１】
2005063364.tif 000023
【図２２】
2005063364.tif 000024
【図２３】
2005063364.tif 000025
【図２４】
2005063364.tif 000026
【図２５】
2005063364.tif 000027
【図２６】
2005063364.tif 000028
【図２７】
2005063364.tif 000029
【図２８】
2005063364.tif 000030
【図２９】
2005063364.tif 000031
【図３０】
2005063364.tif 000032
【図３１】
2005063364.tif 000033
【図３２】
2005063364.tif 000034
【図３３】
2005063364.tif 000035
【図３４】
2005063364.tif 000036